(57)【要約】【課題】外部機器の電源を入れなくても外部機器に保存されているコンテンツの一覧を容易に把握できる映像表示装置を提供する。【解決手段】本発明に係る映像表示装置は、映像信号を出力する外部機器と接続可能な映像表示装置であって、接続されている前記外部機器に対し、前記外部機器に保存されているコンテンツの一覧を表すコンテンツリストデータの出力を指示する出力指示手段と、前記指示によって外部機器から出力されたコンテンツリストデータを受信する受信手段と、前記受信されたコンテンツリストデータを記憶する記憶手段と、表示する映像信号の入力源として前記外部機器が選択された際に、前記外部機器から映像信号が出力されていない場合には、前記記憶手段に記憶されているコンテンツリストデータに基づく映像を表示部に表示させる制御手段と、を備えることを特徴とする。【選択図】図５
2009253893.tif 000002
【特許請求の範囲】
【請求項１】
映像信号を出力する外部機器と接続可能な映像表示装置であって、
接続されている前記外部機器に対し、前記外部機器に保存されているコンテンツの一覧を表すコンテンツリストデータの出力を指示する出力指示手段と、
前記指示によって外部機器から出力されたコンテンツリストデータを受信する受信手段と、
前記受信されたコンテンツリストデータを記憶する記憶手段と、
表示する映像信号の入力源として前記外部機器が選択された際に、前記外部機器から映像信号が出力されていない場合には、前記記憶手段に記憶されているコンテンツリストデータに基づく映像を表示部に表示させる制御手段と、
を備えることを特徴とする映像表示装置。
【請求項２】
前記コンテンツリストデータは、前記外部機器に保存されているコンテンツの一覧を表す映像データである
ことを特徴とする請求項１に記載の映像表示装置。
【請求項３】
前記コンテンツリストデータは、コンテンツを選択するためのカーソルを含む映像データであり、
前記出力指示手段は、前記外部機器に保存されている、前記カーソルの位置が異なる複数のコンテンツリストデータの出力を指示可能であり、
前記制御手段は、表示する映像信号の入力源として前記外部機器が選択された際に、前記外部機器から映像信号が出力されてない場合には、前記記憶手段に記憶されている前記複数のコンテンツリストデータの内の１つに基づく映像を表示部に表示させ、ユーザーの操作に応じて前記複数のコンテンツリストデータの内の他のコンテンツリストデータに切り替える
ことを特徴とする請求項２に記載の映像表示装置。
【請求項４】
前記制御手段は、前記記憶手段に記憶されているコンテンツリストデータに基づく映像が表示されている状態において、ユーザーが前記映像表示装置の操作を行った際に前記外部機器の電源を投入する
ことを特徴とする請求項１〜３のいずれか１項に記載の映像表示装置。
【請求項５】
複数の外部機器が前記映像表示装置の１つの入力端子にリピーター機器を介して接続されており、
前記出力指示手段は、前記リピーター機器を介して、各外部機器に対し、前記コンテンツリストデータの出力を指示し、
前記制御手段は、前記複数の外部機器から出力されたコンテンツリストデータに基づく映像を合成した映像を表示部に表示させる
ことを特徴とする請求項１〜４のいずれか１項に記載の映像表示装置。
【請求項６】
前記コンテンツリストデータは、前記外部機器に保存されている各コンテンツの情報を記述したコンテンツ情報データであり、
前記コンテンツリストデータに基づく映像は、前記コンテンツ情報データに基づいて作成された映像である
ことを特徴とする請求項１に記載の映像表示装置。
【請求項７】
映像信号を出力する外部機器と接続された映像表示装置の制御方法であって、
前記映像表示装置が、
接続されている前記外部機器に対し、前記外部機器に保存されているコンテンツの一覧
を表すコンテンツリストデータの出力を指示する工程と、
前記指示によって外部機器から出力されたコンテンツリストデータを受信する工程と、
前記受信されたコンテンツリストデータを記憶装置に記憶する工程と、
表示する映像信号の入力源として前記外部機器が選択された際に、前記外部機器から映像信号が出力されていない場合には、前記記憶装置に記憶されているコンテンツリストデータに基づく映像を表示部に表示させる工程と、
を含むことを特徴とする映像表示装置の制御方法。
【発明の詳細な説明】
【技術分野】
【０００１】
本発明は、ＨＤＭＩ−ＣＥＣに代表される機器間制御技術を用いて機器制御を行う映像表示装置に関するものである。
【背景技術】
【０００２】
デジタル信号伝送規格として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）が知られている。ＨＤＭＩを利用すれば、レコーダー等の外部機器から１本のケーブルで他の機器（シンク機器；テレビジョン装置など）に映像信号と音声信号を伝送することができる。
【０００３】
更に、ＨＤＭＩには機器間制御のためのＣＥＣ（Ｃｏｎｓｕｍｅｒ  Ｅｌｅｃｔｒｏｎｉｃｓ  Ｃｏｎｔｒｏｌ）に関する規格が定められている。ＣＥＣ機能を利用すれば、一方の機器から、ＨＤＭＩケーブルで接続された他方の機器をリモート操作することができる。例えば、ＨＤＭＩケーブルでテレビジョン装置（テレビ）に接続されたレコーダーの再生ボタンが押されると、テレビの電源が投入され、テレビの入力源がそのレコーダーが接続されている入力端子に切り替えられる、という動作が可能になる。また、テレビからレコーダーを操作することもできる。例えば、テレビのリモコンを用いてレコーダーのコンテンツの一覧（コンテンツリスト）を表示させ、そのコンテンツリストから所望のコンテンツを選択することにより、レコーダーの再生動作が行われる、という動作が可能になる。上述した映像信号と音声信号の伝送、及び、機器間制御は、ＨＤＭＩに限らず、ＩＥＥＥ１３９４等を利用することによっても実現できる。
【０００４】
ところで、外部機器（レコーダー、プレーヤーなど）は、電源が投入された状態（電源ＯＮ状態）のときに、ＨＤＭＩ等のインターフェースを通じてシンク機器（テレビなど）へ映像信号と音声信号を供給（伝送）する。しかしながら、外部機器が電源ＯＦＦ状態（電力が供給されていない状態やスタンバイ状態など）のときには、外部機器は、シンク機器へ映像信号と音声信号の供給を行わない。そのため、外部機器が電源ＯＦＦ状態のときに、シンク機器で表示する映像信号の入力源をその外部機器が接続されている入力端子に切り替えると、シンク機器の画面には、シンク機器側が供給する映像（黒映像）等のみが表示される（図１４（Ａ）の画面１２０１）。また、ＨＤＭＩ入力端子を複数有するテレビにおいて、その端子に接続された機器が全て電源ＯＦＦ状態であった場合には、シンク機器の入力をどの入力に切り替えても、シンク機器が供給する映像（黒映像）以外は何も表示されない。そのため、ユーザーがテレビの故障などと間違える虞がある。
【０００５】
このような問題を解決するための従来技術として、特許文献１がある。特許文献１には画面に表示されるべき映像の信号が供給されていない場合に、シンク機器内部に保存しておいたアニメーション等を表示する技術が開示されている。
【０００６】
しかしながら、特許文献１のような構成においても、シンク機器の入力端子に外部機器が接続されているか、どの外部機器がどの入力端子に接続されているかなどについて、ユーザーは把握することができない。そのため、ユーザーは、どの外部機器がどの入力端子に接続されているのかを把握するために、物理的にケーブルの確認を行わなければならない。また、ユーザーは、どの外部機器がどの入力端子に接続されているのかを把握できたとしても、その外部機器が完全に起動するまでは、その外部機器にどのようなコンテンツ（録画された番組など；映像ソース）が保存されているのかを把握することができない。そのため、外部機器の電源を入れなくても、図１４（Ｂ）の画面１２０２に示すように外部機器に保存されているコンテンツの一覧を把握できる技術が望まれている。
【特許文献１】特開平０７−１６２７７３号公報
【発明の開示】
【発明が解決しようとする課題】
【０００７】
本発明は、上記実情に鑑みてなされたものであって、外部機器の電源を入れなくても外部機器に保存されているコンテンツの一覧を容易に把握できる映像表示装置を提供することを目的とする。
【課題を解決するための手段】
【０００８】
本発明に係る映像表示装置は、映像信号を出力する外部機器と接続可能な映像表示装置であって、接続されている前記外部機器に対し、前記外部機器に保存されているコンテンツの一覧を表すコンテンツリストデータの出力を指示する出力指示手段と、前記指示によって外部機器から出力されたコンテンツリストデータを受信する受信手段と、前記受信されたコンテンツリストデータを記憶する記憶手段と、表示する映像信号の入力源として前記外部機器が選択された際に、前記外部機器から映像信号が出力されていない場合には、前記記憶手段に記憶されているコンテンツリストデータに基づく映像を表示部に表示させる制御手段と、を備えることを特徴とする。
【０００９】
本発明に係る映像表示装置の制御方法は、映像信号を出力する外部機器と接続された映像表示装置の制御方法であって、前記映像表示装置が、接続されている前記外部機器に対し、前記外部機器に保存されているコンテンツの一覧を表すコンテンツリストデータの出力を指示する工程と、前記指示によって外部機器から出力されたコンテンツリストデータを受信する工程と、前記受信されたコンテンツリストデータを記憶装置に記憶する工程と、表示する映像信号の入力源として前記外部機器が選択された際に、前記外部機器から映像信号が出力されていない場合には、前記記憶装置に記憶されているコンテンツリストデータに基づく映像を表示部に表示させる工程と、を含むことを特徴とする。
【発明の効果】
【００１０】
本発明によれば、外部機器の電源を入れなくても外部機器に保存されているコンテンツの一覧を容易に把握できる映像表示装置を提供することができる。
【発明を実施するための最良の形態】
【００１１】
本実施形態に係る映像表示装置は、表示する映像信号の入力源を外部機器が接続されている入力端子に切り替えた際に、その外部機器が電源ＯＦＦ状態であっても、（その外部機器に）保存されているコンテンツの一覧を表す映像を表示可能とするものである。なお、本実施形態に係る映像表示装置は、例えば、テレビジョン装置などのシンク機器である。外部機器は、映像表示装置に接続される外部の機器であり、例えば、レコーダーなどのソース機器である。電源ＯＦＦ状態とは、映像信号を出力していない状態であり、外部機器に電力が供給されていない状態やスタンバイ状態などが該当する。一方、外部機器の電源が投入された状態（映像信号が出力されている状態）を電源ＯＮ状態とする。以下、本実施形態に係る映像表示装置の具体的な実施例について詳しく説明する。
【００１２】
＜実施例１＞
図１は、本実施例に係る映像表示装置１００の構成を示すブロック図である。映像表示装置１００は、ＨＤＭＩ送受信部１０１，１０２、ＣＥＣ送受信部１０３、映像表示部１０４、ＴＭＤＳ切替部１０５、映像切替部１０６、記憶部１０７、制御部１０８などを有する。なお、映像表示装置１００は、映像信号を出力する外部機器と接続可能である。本実施例では、映像表示装置１００は、ＨＤＭＩケーブルにより外部機器Ｘと機器間制御可能に接続されている。
【００１３】
ＨＤＭＩ送受信部１０１，１０２は、外部機器との間で信号の送受信を行うための送受信部である。本実施例では、映像表示装置１００は、ＨＤＭＩラインＡ（ＨＤＭＩ送受信部１０１側のライン）、又は、ＨＤＭＩラインＢ（ＨＤＭＩ送受信部１０２側のライン）により外部機器と接続される。そして、それらＨＤＭＩラインを介して、外部機器との信号の送受信が行われる。なお、本実施例では映像表示装置１００が２つのＨＤＭＩ送受信部１０１，１０２を有しているが、ＨＤＭＩ送受信部の数はいくつでもよい。映像表示装置は、ＨＤＭＩ入力端子の数だけＨＤＭＩ送受信部を有する。
【００１４】
ＨＤＭＩラインは、例えば、ＴＭＤＳ（Ｔｒａｎｓｉｔｉｏｎ  Ｍｉｎｉｍｉｚｅｄ  Ｄｉｆｆｅｒｅｎｃｉａｌ  Ｓｉｇｎａｌｉｓｉｎｇ）ライン、ＤＤＣ（Ｄｉｓｐｌａｙ
Ｄａｔａ  Ｃｈａｎｎｅｌ）ライン、及び、ＣＥＣラインで構成される。ＴＭＤＳラインは、映像信号や音声信号を伝送するためのラインである。ＤＤＣラインは、映像表示装置１００や外部機器の製品情報のデータ（ＥＤＩＤ：Ｅｘｔｅｎｄｅｄ  Ｄｉｓｐｌａｙ
Ｉｄｅｎｔｉｆｉｃａｔｉｏｎ  Ｄａｔａ）などを伝送するためのラインである。ＣＥＣラインは、機器間制御のための信号（ＣＥＣコマンド）を伝達するためのラインである。
【００１５】
ＣＥＣ送受信部１０３は、ＣＥＣコマンドの送受信を行う送受信部である。例えば、ＨＤＭＩ送受信部１０１，１０２で受信された信号のうち、ＣＥＣコマンドがＣＥＣ送受信部１０３に送られる。そして、ＣＥＣ送受信部１０３は、ＣＥＣコマンドの解析を行い、解析結果を（後述する）制御部１０８に伝える。
【００１６】
映像表示部１０４は、映像を表示する表示部である。具体的には、映像表示部１０４に入力された映像信号（映像データを含む）に基づく映像（入力映像）が表示される。映像表示部１０４としては、電子放出素子（冷陰極素子）を有する表示パネル、プラズマディスプレイ、液晶ディスプレイ、ＥＬディスプレイなどに用いられる表示パネルなどである。電子放出素子は、例えば、表面伝導型電子放出素子、電界放出型電子放出素子、ＭＩＭ型電子放出素子などである。
【００１７】
ＴＭＤＳ切替部１０５、及び、映像切替部１０６は、映像表示部１０４に表示させる映像を切り替える（選択する）ための切替部である。本実施例では、映像切替部１０６は、入力源として記憶部１０７またはＨＤＭＩ送受信部（ＨＤＭＩ入力）を選択する。ＴＭＤＳ切替部１０５は、入力源として、ＨＤＭＩ入力のうち、ＨＤＭＩ送受信部１０１またはＨＤＭＩ送受信部１０２を選択する。映像信号は、ＴＭＤＳ切替部１０５や映像切替部１０６によって選択された入力源から、映像表示部１０４に入力される。例えば、映像切替部１０６がＨＤＭＩ入力を選択し、ＴＭＤＳ切替部がＨＤＭＩ送受信部１０１を選択した場合、映像表示部１０４にはＨＤＭＩ送受信部１０１から入力された映像信号に基づく映像が表示される。なお、映像切替部１０６は、上記入力以外の入力源（不図示；例えばＤＶＩ端子などの入力源）を選択可能であってもよい。
【００１８】
記憶部１０７は、必要に応じて入力映像（静止画像データや動画像データ）や外部機器に保存されているコンテンツの一覧（コンテンツリスト）を表すコンテンツリストデータなどを記憶する記憶部である。本実施例では、記憶部１０７は、コンテンツリストデータとして、外部機器に保存されているコンテンツの一覧を表す映像データ（コンテンツリスト映像データ）を記憶する。記憶部１０７としては、例えば、不揮発性メモリやハードディスクなどの記憶媒体が適用可能である。なお、コンテンツリスト映像データは、静止画像のデータであってもよいし、動画像のデータであってもよい。例えば、コンテンツリスト映像データは、それぞれのコンテンツの一部のフレームのサムネイル画像が並べられた静止画像データであってもよいし、それぞれのコンテンツのサムネイル動画が並べられた動画像データであってもよい。
【００１９】
制御部１０８は、映像表示装置１００が有する各動作を制御する制御部である。具体的には、制御部１０８は、ＣＥＣ送受信部１０３から送られたＣＥＣコマンドの解析結果に応じて、ＴＭＤＳ切替部１０５や映像切替部１０６を制御する（映像表示部１０４に入力させる映像信号の入力源を切り替える）。これにより、映像表示部１０４に表示される映像が切り替わる。また、制御部１０８は、ＣＥＣ送受信部１０３を制御することにより、ＣＥＣラインを介して外部機器にＣＥＣコマンドを送信する。
【００２０】
以下に、本実施例に係る映像表示装置１００において外部機器からコンテンツリスト映像データを取得するタイミングについて説明する。図２は、コンテンツリスト映像データの取得を行うタイミングを表すフローチャートである。本実施例では、外部機器Ｘからコンテンツリスト映像データを取得するタイミングについて説明する。
【００２１】
本実施例では、所定のタイミングで、ＨＤＭＩ入力に接続されている外部機器Ｘからコンテンツリスト映像データが取得される。例えば、外部機器Ｘが録画動作を行った後など、外部機器Ｘのコンテンツリストに変化があったタイミングでコンテンツリスト映像データの取得を行ってもよい。また、外部機器Ｘが接続されたときや、映像表示装置１００に電力が供給されたときや、定期的に予め設定された時刻にコンテンツリスト映像データの取得を行うようにしてもよい。外部機器Ｘの動作状態は、ＣＥＣコマンドを用いることにより得ることができる。例えば、映像表示装置１００が外部機器Ｘに対しＣＥＣコマンドを用いて定期的に動作状態を問い合わせればよい。これにより、映像表示装置１００は外部機器Ｘの動作状態を常に知ることができる。以下に、図２を用いて、外部機器Ｘからコンテンツリスト映像データを取得するタイミングについて詳しく説明する。
【００２２】
まず、映像表示装置１００が所定のタイミングで、外部機器Ｘからコンテンツリスト映像データを取得する（ステップＳ２０１）。コンテンツリスト映像データの取得方法については図３に示すフローチャートを用いて後に説明する。
【００２３】
次に、制御部１０８が外部機器Ｘの動作状態を取得する（ステップＳ２０２）。具体的には、制御部１０８がＣＥＣ送受信部１０３にＣＥＣコマンドの送信を指示し、外部機器Ｘに動作状態を問い合わせる。
【００２４】
そして、制御部１０８が外部機器Ｘの動作状態が録画動作中であるか否かを判定する（ステップＳ２０３）。外部機器の動作状態が録画動作中である場合（ステップＳ２０３：ＹＥＳ）、その録画動作によって、外部機器Ｘのコンテンツリストが更新されると考えられる。そのため、その場合には、制御部１０８が、コンテンツリスト取得フラグ（コンテンツリスト映像データの取得の要否を示すフラグ）を立て（ステップＳ２０４）、所定時間経過後にステップＳ２０２へ戻る。即ち、録画動作が終わるまで所定の時間間隔で、ステップＳ２０２〜ステップＳ２０４の処理を繰り返す。ただし、ステップＳ２０４において、外部機器Ｘから録画動作の終了時刻に関する情報を取得し、録画動作の終了後にステップＳ２０４からステップＳ２０２に戻るようにしてもよい。
【００２５】
外部機器Ｘの動作状態が録画動作中でない場合（ステップＳ２０３：ＮＯ）、制御部１０８が、コンテンツリスト取得フラグが立っているか否かを判定する（ステップＳ２０５）。コンテンツリスト取得フラグが立っていない場合（録画動作が行われていない場合；ステップＳ２０５：ＮＯ）、コンテンツリストに変更はないと考えられる。そのため、その場合にはステップＳ２０２へ戻る。
【００２６】
コンテンツリスト取得フラグが立っている場合（ステップＳ２０５：ＹＥＳ）、制御部１０８が、映像表示装置１００に表示させる映像信号の入力源（映像表示装置の入力源）
がＨＤＭＩ入力か否かを判定する（ステップＳ２０６）。映像信号表示装置の入力源が、ＨＤＭＩ入力の場合（ステップＳ２０６：ＮＯ）、ステップＳ２０２へ戻る。
【００２７】
映像信号表示装置の入力源が、ＨＤＭＩ入力でない場合（ステップＳ２０６：ＹＥＳ）、制御部１０８が、外部機器Ｘの動作が停止状態であるか否かを判定する（ステップＳ２０７）。外部機器Ｘの動作が停止状態でない場合（ステップＳ２０７：ＮＯ）、ステップＳ２０２へ戻る。なお、停止状態とは録画動作や再生動作が行われていない状態と定義してもよい。即ち、電源ＯＮ状態であっても、録画動作や再生動作が行われていない状態であれば、その状態は停止状態であるとしてもよい。
【００２８】
外部機器の動作が停止状態の場合（ステップＳ２０７：ＹＥＳ）、外部機器Ｘからコンテンツリスト映像データが取得される（ステップＳ２０８）。
【００２９】
そして、制御部１０８が、コンテンツリスト取得フラグをクリアする（ステップＳ２０９）。同じ動作をＨＤＭＩ端子に接続されている全ての外部機器に対して行う。得られたコンテンツリスト映像データは、対応するＨＤＭＩ端子と関連付けて記憶部１０７に記憶される。
【００３０】
次に、コンテンツリスト映像データの取得方法（ステップＳ２０１及びステップＳ２０８の処理）について説明する。図３は、本実施例に係る映像表示装置１００における、コンテンツリスト映像データの取得の流れを示すフローチャートである。本実施例では、外部機器Ｘからコンテンツリスト映像データを取得する場合について説明する。
【００３１】
まず、制御部１０８が、ＣＥＣコマンドを用いて外部機器Ｘの電源を投入する（ステップＳ３０１）。なお、外部機器Ｘが初めから電源ＯＮ状態だった場合には、当該処理は省略される。
【００３２】
次に、制御部１０８が、ＣＥＣコマンドを用いて、外部機器Ｘにコンテンツリスト映像データの出力を指示する（ステップＳ３０２；出力指示手段に対応）。具体的には、制御部１０８は、外部機器Ｘに対し、自身に保存されているコンテンツからコンテンツリスト映像データを作成させる。そして、作成されたコンテンツリスト映像データを出力させる。
【００３３】
そして、外部機器Ｘから出力されたコンテンツリスト映像データが、ＴＭＤＳラインを通じて映像表示装置１００に入力される（ステップＳ３０３；受信手段に対応）。
【００３４】
次に、入力されたコンテンツリスト映像データは、不図示の変換部により圧縮等のフォーマット変換処理を施され、所望のフォーマットに変換される（ステップＳ３０４）。なお、入力されたコンテンツリスト映像データが所望のフォーマットである場合には、当該処理は省略してもよい。
【００３５】
そして、制御部１０８が、変換されたコンテンツリスト映像データを、記憶部１０７に記憶（保存）する（ステップＳ３０５；記憶手段に対応）。具体的には、制御部１０８が記憶部１０７やＴＭＤＳ切替部１０５を制御することにより、変換されたコンテンツリスト映像データを記憶部１０７に保存する。
【００３６】
コンテンツリスト映像データが保存された後、制御部１０８が、ＣＥＣコマンドを用いて外部機器Ｘを電源ＯＦＦ状態にする（ステップＳ３０６）。なお、制御部１０８は、外部機器Ｘを電源ＯＦＦ状態にしなくてもよい。例えば、外部機器Ｘが、初めから電源ＯＮ状態である場合には、電源ＯＮ状態のまま当該処理を終了してもよい。
【００３７】
次に、映像表示装置１００の記憶部１０７内に保存されたコンテンツリスト映像データの利用方法について説明する。図４は、本実施例に係る映像表示装置１００においてコンテンツリスト映像データが利用される場合のフローチャートである。
【００３８】
まず、ユーザーにより入力源の切り替え操作が行われた場合（ステップＳ４０１：ＹＥＳ）、映像表示部１０４は、当該切り替えにより選択された入力源からの映像信号に基づく映像を表示する（ステップＳ４０２）。なお、切り替え操作が行われていない場合（ステップＳ４０１：ＮＯ）には、ステップＳ４０１へ戻る。
【００３９】
ステップＳ４０２の次に、制御部１０８が、選択されている入力源がＨＤＭＩ入力か否かを判定する（ステップＳ４０３）。選択されている入力源がＨＤＭＩ入力（外部機器Ｘが接続されているＨＤＭＩ送受信部１０１，１０２）であった場合（ステップＳ４０３：ＹＥＳ）、制御部１０８が、ＣＥＣコマンドを用いて外部機器Ｘの電源状態を問い合わせる（ステップＳ４０４）。選択されている入力源がＨＤＭＩ入力以外の場合（ステップＳ４０３：ＮＯ）には、ステップＳ４０１へ戻る。
【００４０】
ステップＳ４０４の次に、制御部１０８が、外部機器Ｘが電源ＯＦＦ状態か否かを判定する（ステップＳ４０５）。外部機器Ｘが電源ＯＮ状態であることは、外部機器から映像信号が出力されていることを意味する。すなわち、映像表示部１０４には外部機器Ｘから出力された映像信号に基づく映像が表示されている。そのため、その場合（ステップＳ４０５：ＮＯ）には、その後の処理を行わず、ステップＳ４０１へ戻る。
【００４１】
外部機器Ｘが電源ＯＦＦ状態であることは、外部機器Ｘから映像信号が出力されていないことを意味する。そのため、そのような場合（ステップＳ４０５：ＹＥＳ）には、制御部１０８が、記憶部１０７内に予め保存されたコンテンツリスト映像データに基づく映像を、映像表示部１０４に表示させる（ステップＳ４０６）。具体的には、選択されているＨＤＭＩ送受信部１０１，１０２に接続されている外部機器に対応するコンテンツリスト映像データに基づく映像が表示される。本実施例では、外部機器Ｘに対応するコンテンツリスト映像データ、即ち、外部機器Ｘから取得されたコンテンツリスト映像データに基づく映像が表示される。
【００４２】
ステップＳ４０６の次に、ユーザーが別の入力源に切り替えた場合（ステップＳ４０７：ＹＥＳ）には、ステップＳ４０２へ戻る。
【００４３】
また、ステップＳ４０６の次に、制御部１０８が、コンテンツリストの映像が表示された状態において（ステップＳ４０７：ＮＯ）、ユーザーが選択操作を行ったか否かを判定する（ステップＳ４０８）。選択操作は、例えば、ユーザーが再生ボタンを押す、決定ボタンを押す、十字キーボタンを押すなど、ステップＳ４０６で表示された映像（コンテンツリスト）からコンテンツを選択することを意図していると考えられる操作である。選択操作が行われなかった場合（ステップＳ４０８：ＮＯ）には、ステップＳ４０７へ戻る。
【００４４】
選択操作が行われた場合（ステップＳ４０８：ＹＥＳ）には、制御部１０８が、ＣＥＣコマンドを用いて外部機器Ｘの電源を投入する（ステップＳ４０９）。
【００４５】
ステップＳ４０９の次に、制御部１０８が、外部機器Ｘが完全に起動し、映像表示装置１００に外部機器Ｘから映像信号が入力されたか否かを判断する。そして、外部機器Ｘから映像信号が入力された際に、制御部１０８が映像表示部１０４に表示される映像を切り替える（ステップＳ４１０）。具体的には、制御部１０８は、映像表示装置１００の映像表示部１０４に表示する映像を、コンテンツリスト映像データに基づく映像から、外部機
器Ｘからの入力映像に切り替えるために、映像切替部１０６やＴＭＤＳ切替部１０５を制御する。
【００４６】
なお、ステップＳ４０７とステップＳ４０８を省略して、ステップＳ４０６からステップＳ４０９に進むようにしてもよい。この場合、ステップＳ４０６で、外部機器Ｘのコンテンツ映像データに基づく映像が表示された後、続いてステップＳ４０９で、外部機器Ｘの電源が投入され、ステップＳ４１０で、自動的に外部機器Ｘからの入力映像に切り替えられる。
【００４７】
以上述べたように、本実施例では、映像表示装置１００と外部機器とがＨＤＭＩケーブルによって接続されているため、ＣＥＣコマンドを用いて外部機器を制御することができる。具体的には、外部機器にコンテンツリスト映像データを要求することができる。そして、そのようにして取得されたコンテンツリスト映像データを映像表示装置１００の対応する入力端子（ＨＤＭＩ端子）と関連付けて保存する。これにより、映像表示装置１００で表示する映像信号の入力源として選択されたＨＤＭＩ端子に接続されている外部機器が電源ＯＦＦ状態であっても、その入力端子に関連付けられたコンテンツリスト映像データに基づく映像を即座に表示することができる。そのため、ユーザーは、外部機器の電源を入れなくても外部機器に保存されているコンテンツを容易かつ迅速に把握することができる。
【００４８】
なお、本実施例では、映像表示装置１００と外部機器とがＨＤＭＩケーブルによって接続されている場合について説明したが、映像表示装置１００と外部機器との接続方法は、これに限定されない。例えば、ＩＥＥＥ１３９４等の技術を利用してもよい。外部機器から映像信号を取り込むことができ、且つ、外部機器を制御することができる方法で接続されていればよい。
【００４９】
＜実施例２＞
実施例１では、外部機器Ｘが電源ＯＦＦ状態であっても映像表示装置１００の映像表示部１０４に外部機器Ｘのコンテンツリストを表す映像を即座に表示させることができる。しかしながら、実際のコンテンツリストの映像（外部機器が電源ＯＮ状態のときに表示されるコンテンツリストの映像）のように、ユーザーがコンテンツリスト上のカーソルを動かしてコンテンツを選択することはできない。
【００５０】
実施例２では、外部機器Ｘのコンテンツリスト映像データが、コンテンツを選択するためのカーソルを含む映像データである場合の例である。また、制御部１０８は、外部機器Ｘに保存されている、カーソルの位置が異なる複数のコンテンツリスト映像データの出力を指示可能とする。本実施例では、記憶部１０７は、カーソル位置が異なる複数のコンテンツリスト映像データを記憶する。そして、制御部１０８は、ユーザーの操作に応じて、映像の表示に用いるコンテンツリスト映像データを切り替える。それにより、あたかも実際のコンテンツリストの映像が表示されているかのように、ユーザーがコンテンツリスト上のカーソルを擬似的に動かしてコンテンツを選択することを可能とする。なお、映像表示装置１００の構成、コンテンツリスト映像データの取得を行うタイミングは、実施例１と同様のため、説明を省略する。
【００５１】
図５は、コンテンツリストの表示例を示す図である。本実施例では、コンテンツリストが番組ごとに５×５のマトリックス状に並んでおり、選択されている番組を示すカーソルの初期位置が真ん中のコンテンツにフォーカスされているものとする（図５（Ａ）の画面６０１）。なお、コンテンツリストの構成やカーソルの初期位置などは特に限定されない。画面の表示可能範囲に全てのコンテンツが表示されなくてもよい。映像表示装置１００がコンテンツリストの構成やカーソルの初期位置などを指示してもよいし、外部機器Ｘか
らコンテンツリストの構成やカーソルの初期位置などを表す情報を取得してもよい。
【００５２】
また、本実施例では、ユーザーがコンテンツリストのカーソルを操作したときにどの範囲までカーソルの移動を可能にさせるかについて、閾値ｔにより規定する。本実施例では、ユーザーが、コンテンツリストをデフォルト状態で選択されているコンテンツから上下左右ｔ個までの範囲でコンテンツを選ぶことができるものとする。即ち、閾値を２と設定すれば、５×５の範囲内（図５に表示された範囲内）でカーソルを自由に移動させることができる。なお、閾値ｔは、コンテンツリストの構成やカーソルの初期位置などに応じて映像表示装置１００が設定してもよいし、外部機器Ｘから閾値ｔに関する情報を取得してもよい。
【００５３】
以下に、本実施例に係るコンテンツリスト映像データの取得方法について説明する。図６は、本実施例に係る映像表示装置１００における、コンテンツリスト映像データの取得の流れを示すフローチャートである。
【００５４】
まず、実施例１と同様に映像表示装置１００を外部機器Ｘから映像の取り込みが可能な状態にする（Ｓ５０１〜Ｓ５０３）。なお、ここでは、外部機器ＸのＨＤＭＩ端子に対しＨＤＣＰ（Ｈｉｇｈ−ｂａｎｄｗｉｄｃｈ  Ｄｉｇｉｔａｌ  Ｃｏｎｔｅｎｔ  Ｐｒｏｔｅｃｔｉｏｎ）認証を行う。
【００５５】
次に、制御部１０８が、カーソルの位置を表す情報を設定する（ステップＳ５０４）。本実施例ではカーソルの左右方向の位置を表す値であるＭと、カーソルの上下方向の位置を表す値であるＮとを設定する。本実施例では、初期位置（カーソルが真ん中にある状態）でＭ＝０、Ｎ＝０とする。そして、本実施例では、カーソルをまず左上隅に持っていくためＭ＝Ｎ＝−ｔを設定（セット）する。
【００５６】
そして、制御部１０８が、ＣＥＣコマンドにより、コンテンツリスト上のカーソルを左上隅に移動させる。具体的には、ＣＥＣコマンドとして、コンテンツリスト上のカーソルを左に１つ移動させるコマンド（Ｌｅｆｔコマンド）をｔ回送信する（ステップＳ５０５）。そして、コンテンツリスト上のカーソルを上に１つ移動させるコマンド（Ｕｐコマンド）をｔ回送信する（ステップＳ５０６）。
【００５７】
次に、その状態（図５（Ｂ）の画面６０２）のコンテンツリスト映像データを映像表示装置１００内に取り込み、記憶部１０７に保存する（ステップＳ５０７〜ステップＳ５０９）。ステップＳ５０７〜ステップＳ５０９の処理は図３のステップＳ３０３〜ステップＳ３０５の処理と同様である。但し、コンテンツリスト映像データは、制御部１０８によりカーソル位置についての情報と関連付けられた後、記憶部１０７に保存される。
【００５８】
次に、制御部１０８が、Ｍ＜ｔか否かを判定する（ステップＳ５１０）。
【００５９】
Ｍ＜ｔの場合（ステップＳ５１０：ＹＥＳ）には、制御部１０８が、ＣＥＣコマンドによりカーソルを右に一つ移動させる（ステップＳ５１１）。具体的には、制御部１０８が、ＣＥＣコマンドとして、コンテンツリスト上のカーソルを右に１つ移動させるコマンド（Ｒｉｇｈｔコマンド）を１回送信する。
【００６０】
そして、Ｍに１を足し（ステップＳ５１２）、ステップＳ５０７へ戻る。即ち、左上隅の状態の次には、図５（Ｃ）の画面６０３に示す状態のコンテンツリスト映像データがカーソルの位置情報と共に記憶部１０７に保存される。
【００６１】
カーソルが右側の隅に達するまで（例えば、図５（Ｄ）の画面６０４の状態になるまで
；Ｍ＝ｔになるまで）、ステップＳ５０７〜ステップＳ５１２の処理を繰り返す。カーソルが右側の隅に達した後（Ｓ５１０：ＮＯ）に、制御部１０８が、Ｎ＜ｔか否かを判定する（ステップＳ５１３）。
【００６２】
Ｎ＜ｔの場合（ステップＳ５１３：ＹＥＳ）、制御部１０８が、カーソルを左側の隅まで移動させ（ステップＳ５１４）、カーソルを一段下げる（ステップＳ５１５）。具体的には、制御部１０８が、Ｌｅｆｔコマンドを２ｔ回送信し、カーソルを下に１つ移動させるコマンド（Ｄｏｗｎコマンド）を１回送信する。
【００６３】
そして、Ｍに−ｔをセットし、Ｎに１を足す（ステップＳ５１６）。
【００６４】
次に、ステップＳ５０７へ戻り、その状態（例えば、図５（Ｅ）の画面６０５）のコンテンツリスト映像データが保存される。
【００６５】
以上の操作を、カーソルが右下隅に達するまで（図５（Ｆ）の画面６０６の状態になるまで；Ｍ＝Ｎ＝ｔになるまで）繰り返す。これにより、カーソル位置の異なる全てのコンテンツリスト映像を取得することができる。
【００６６】
そして、カーソルが右下隅に達した後（ステップＳ５１３：ＮＯ）に、カーソルを初期位置（図５（Ａ）の画面６０１）に戻す。具体的には、制御部１０８が、Ｌｅｆｔコマンドをｔ回送信し（ステップＳ５１７）、Ｕｐコマンドをｔ回送信する（ステップＳ５１８）。
【００６７】
最後に、外部機器Ｘを電源ＯＦＦ状態に戻す（ステップＳ５１９）。これにより、コンテンツリスト映像データの取得が完了する。以上の操作を全てのＨＤＭＩ端子に接続されたソース機器に対して行う。
【００６８】
次に、上記方法で取得されたコンテンツリスト映像データの利用方法について説明する。図７及び図８は、本実施例に係る映像表示装置１００においてコンテンツリスト映像データが利用される場合のフローチャートである。
【００６９】
まず、ユーザーにより選択された入力源である外部機器Ｘが電源ＯＦＦ状態であった場合には、記憶部１０７内に保存された外部機器Ｘのコンテンツリスト映像データに基づく映像を映像表示部１０４に表示する（ステップＳ７０１〜ステップＳ７０７）。なお、ステップＳ７０１，Ｓ７０２，Ｓ７０４，Ｓ７０５，Ｓ７０６，Ｓ７０７の処理は、それぞれ、実施例１の図４におけるステップＳ４０１，Ｓ４０２，Ｓ４０３，Ｓ４０４，Ｓ４０５，Ｓ４０６と同様である。但し、本実施例では、ステップＳ７０２の処理の後に、制御部１０８が、カーソル位置を表す情報を設定する（ステップＳ７０３）。例えば、図７の例では、カーソル位置が初期位置（上述したＭ，Ｎが共に０）であることを表す情報を設定する。そして、ステップＳ７０７では、ステップＳ７０３で設定された情報に対応するコンテンツリスト映像データに基づく映像が表示されるものとする。
【００７０】
ステップＳ７０７の次に、ユーザーが別の入力源に切り替えた場合（ステップＳ７０８：ＹＥＳ）には、ステップＳ７０２へ戻る。
【００７１】
また、ステップＳ７０７の次に、制御部１０８が、コンテンツリスト映像データが表示された状態において（ステップＳ７０８：ＮＯ）、コンテンツを選択する動作が行われたか否かを判定する（ステップＳ７０９）。コンテンツを選択する動作は、例えば、ユーザーが映像表示装置１００のリモコンのボタンを押すことなどにより行われる。
【００７２】
コンテンツを選択する動作が行われた場合（ステップＳ７０９：ＹＥＳ）、制御部１０８が、押されたボタンを判定し（ステップＳ７１０）、押されたボタンに応じた処理を行う。具体的には、映像表示装置１００のリモコンなどにより、“上”に対応する操作がなされた（Ｕｐボタンが押された）場合にはＮの値から１を減算する（ステップＳ７１１）。“下”に対応する操作がなされた（Ｄｏｗｎボタンが押された）場合にはＮの値に１を加算する（ステップＳ７１２）。“左”に対応するボタンが押された（Ｌｅｆｔボタンが押された）場合にはＭの値から１を減算する（ステップＳ７１３）。“右”に対応するボタンが押された（Ｒｉｇｈｔボタンが押された）場合には、Ｍの値に１を加算する（ステップＳ７１４）。コンテンツを選択する動作が行われなかった場合（ステップＳ７０９：ＮＯ）には、ステップＳ７０８へ戻る。
【００７３】
そして、制御部１０８が、−ｔ≦Ｍ≦ｔか否か（ステップＳ７１５）を判定する。−ｔ≦Ｍ≦ｔである場合（ステップＳ７１５：ＹＥＳ）には、−ｔ≦Ｎ≦ｔか否か（ステップＳ７１６）を判定する。
【００７４】
−ｔ≦Ｎ≦ｔである場合（ステップＳ７１６：ＹＥＳ）には、制御部１０８が、映像表示部１０４に表示させる映像を、その時のＭ、Ｎの値に対応するコンテンツリスト映像データに基づく映像に切り替える。例えば、Ｍ＝２，Ｎ＝２ならば、映像は、図５（Ｆ）の画面６０６の状態の映像に切り替えられる。そして、ステップＳ７０９へ戻る。
【００７５】
また、ステップＳ７０９において、フォーカスされたコンテンツを再生するためのボタン（決定ボタンや再生ボタン等）が押されるなどの再生操作が行われた場合（ステップＳ７１０：決定）には、ステップＳ７１８へ進む。ステップＳ７１８では、制御部１０８が、ＣＥＣコマンドを用いて、外部機器Ｘの電源を投入する。
【００７６】
また、ステップＳ７１５，Ｓ７１６において、−ｔ≦Ｍ≦ｔでない場合（ステップＳ７１５：ＮＯ）や、−ｔ≦Ｎ≦ｔでない場合（ステップＳ７１６：ＮＯ）にも、制御部１０８が、ＣＥＣコマンドを用いて、外部機器Ｘの電源を投入する（ステップＳ７１８）。
【００７７】
なお、ステップＳ７１０において、上記ボタン以外のボタンが押されたと判定された場合には、何もせずにステップＳ７０９へ戻る。
【００７８】
ステップＳ７１８の次に、制御部１０８が、ＣＥＣコマンドにより、外部機器Ｘに対してＬｅｆｔコマンドまたはＲｉｇｈｔコマンド、ＵｐコマンドまたはＤｏｗｎコマンドを送信する。具体的には、Ｍ＜０の場合（ステップＳ７１９：ＹＥＳ）に、Ｌｅｆｔコマンドを−Ｍ回送信する（ステップＳ７２０）。Ｍ＞０の場合（ステップＳ７１９：ＮＯ）に、ＲｉｇｈｔコマンドをＭ回送信する（ステップＳ７２１）。そして、Ｎ＜０の場合（ステップＳ７２２：ＹＥＳ）に、Ｕｐコマンドを−Ｎ回送信する（ステップＳ７２３）。Ｎ＞０の場合（ステップＳ７２２：ＮＯ）に、ＤｏｗｎコマンドをＮ回送信する（ステップＳ７２４）。
【００７９】
そして、−ｔ≦Ｍ≦ｔ、且つ、−ｔ≦Ｎ≦ｔの場合（ステップＳ７２５，Ｓ７２６：ＹＥＳ）には、制御部１０８が、ＣＥＣコマンドとして、コンテンツを再生するためのコマンド（決定コマンド）を送信する（ステップＳ７２７）。即ち、外部機器Ｘを起動するためのトリガがコンテンツを再生するためのボタンによるもの（再生操作）だった場合には、決定コマンドが送信される。
【００８０】
ステップＳ７２７の次に、制御部１０８が、映像表示部１０４の映像を外部機器Ｘからの入力映像に切り替える（ステップＳ７２８）。即ち、ユーザーがコンテンツリストで行ったカーソル操作に応じた映像信号が外部機器から供給され、映像表示部１０４に表示さ
れる。
【００８１】
また、−ｔ≦Ｍ≦ｔ、または、−ｔ≦Ｎ≦ｔを満たしていない場合（ステップＳ７２５：ＮＯ、または、ステップＳ７２６：ＮＯ）には、そのままの状態でステップＳ７２８の処理が行われる。
【００８２】
以上述べたように、本実施例では、コンテンツリスト映像データがコンテンツを選択するためのカーソルを含む映像データであり、映像表示装置１００がカーソルの位置ごとに対応するコンテンツリスト映像データを記憶する。そして、ユーザーの操作に応じて、コンテンツリストの映像の切り替え（即ち、異なるカーソルの位置に対応するコンテンツリスト映像データへの切り替え）や、入力源の切り替え（外部機器Ｘからの入力映像への切り替え）などが行われる。これにより、ユーザーは、外部機器Ｘが電源ＯＦＦ状態であっても、実際のコンテンツリストの映像（外部機器Ｘが電源ＯＮ状態のときに表示されるコンテンツリストの映像）のように、コンテンツリスト上のカーソルを動かしてコンテンツを選択するができる。
【００８３】
なお、本実施例ではカーソルの移動範囲を規定する閾値を１つしか設定していないが、閾値は左右方向と上下方向とで別の値にしても良いし、上下左右それぞれ別の閾値を設定しても良い。
【００８４】
なお、外部機器の仕様によっては、外部機器が完全に起動するまでにかなりの時間を要するものもある。外部機器Ｘがそのような外部機器である場合、外部機器Ｘが完全に起動してユーザーの意図した通りの画面が表示されるまでの間に、かなりのタイムラグが生じる可能性がある。外部機器Ｘが完全に起動するまで、映像表示部１０４には、記憶部１０７の内部に保存されているコンテンツリスト映像データに基づく映像が表示される。そのため、ユーザーは、外部機器Ｘがそのような外部機器である場合に生じるタイムラグを、動作の不具合であると判断してしまう可能性がある。そのような問題を回避するために、例えば、映像表示部１０４に「しばらくお待ちください」など映像表示装置１００が処理を行っていることを表す映像を表示してもよい。そのような映像を表示することにより、ユーザーは動作の不具合ではないことを把握することができる。
【００８５】
＜実施例３＞
実施例２では、ユーザーがコンテンツリストのカーソルを操作することにより、再生するコンテンツを決定した場合（再生操作が行われた場合）、または、カーソルの位置が閾値の範囲を超えた場合に、外部機器Ｘの電源が投入される。そのため、外部機器Ｘが完全に起動して、ユーザーの意図した通りの画面が表示されるまでの間に、かなりのタイムラグが生じる可能性がある。本実施例では、そのような問題を回避するための方法の一例について説明する。なお、映像表示装置１００の構成、コンテンツリスト映像データの取得を行うタイミングは、実施例１と同様のため、説明を省略する。また、コンテンツリスト映像データの取得方法は実施例２と同様のため説明を省略する。
【００８６】
以下に、取得されたコンテンツリスト映像データの利用方法について説明する。図９及び図１０は、本実施例に係る映像表示装置１００においてコンテンツリスト映像データが利用される場合のフローチャートである。
【００８７】
ステップＳ８０１〜ステップＳ８０６の処理は、図７のステップＳ７０１〜ステップＳ７０６までの処理と同様のため、説明を省略する。
【００８８】
そして、ユーザーが入力源をＨＤＭＩ入力に切り替えた（ステップＳ８０４：ＹＥＳ）際に、外部機器Ｘが電源ＯＦＦ状態であった（ステップＳ８０６：ＹＥＳ）場合には、ス
テップＳ８０７の処理を行う。
【００８９】
ステップＳ８０７では、制御部１０８が、ＣＥＣコマンドを用いて、外部機器Ｘの電源を投入し、ステップＳ８０８へ進む。なお、ステップＳ８０８以降の処理は、外部機器Ｘが完全に起動するのを待つことなく行われる。
【００９０】
ステップＳ８０８では、図７のステップＳ７０７の処理と同様に、記憶部１０７内に保存された外部機器Ｘのコンテンツリスト映像データに基づく映像が映像表示部１０４に表示される。
【００９１】
ステップＳ８０９、ステップＳ８１１〜Ｓ８１９の処理は、それぞれ、図７のステップＳ７０８〜Ｓ７１７の処理と同様である。即ち、コンテンツリスト映像データに基づく映像が表示された状態において（ステップＳ８０９：ＮＯ）、ユーザーによってコンテンツを選択する動作が行われた場合に、その動作に応じてコンテンツリストの映像が切り替えられる（ステップＳ８１１〜Ｓ８１９）。但し、ステップＳ８０９において、ユーザーが別の入力源に切り替えた場合（ステップＳ８０９：ＹＥＳ）には、制御部１０８が、ＣＥＣコマンドとして、電源ＯＦＦ状態にするコマンド（Ｓｔａｎｄｂｙコマンド）を外部機器Ｘに送信する（ステップＳ８１０）。これにより、外部機器Ｘは電源ＯＦＦ状態になる。なお、Ｓｔａｎｄｂｙコマンドを送信するタイミングは、このタイミングに限らない。例えば、ユーザーが入力源を別の入力源に切り替えた直後ではなく、ユーザーが入力源を別の入力源に切り替えてから所定時間経過後にＳｔａｎｄｂｙコマンドを送信してもよい。
【００９２】
そして、ステップＳ８１１において、再生操作が行われた場合（ステップＳ８１２：決定）、または、カーソル位置がコンテンツリストの範囲を超えた場合（ステップＳ８１７：ＮＯまたはステップＳ８１８：ＮＯ）に、ステップＳ８２０へ進む。
【００９３】
ステップＳ８２０では、制御部１０８が、ＣＥＣコマンドにより、外部機器Ｘの電源状態を問い合わせる。そして、制御部１０８が、外部機器Ｘの電源状態を判定する（ステップＳ８２１）。
【００９４】
外部機器Ｘが電源ＯＦＦ状態の場合（ステップＳ８２１：ＮＯ）には、ステップＳ８２０に戻る。外部機器Ｘが電源ＯＮ状態の場合（ステップＳ８２１：ＹＥＳ）の処理は、図７のステップＳ７１９〜Ｓ７２８の処理と同様である。即ち、制御部１０８が、ＣＥＣコマンドとして、カーソル位置を変更するためのコマンドを送信し、映像表示部１０４の映像を外部機器Ｘからの入力映像に切り替える（Ｓ８２２〜Ｓ８３１）。
【００９５】
以上述べたように、本実施例では、ユーザーによるコンテンツリストのカーソル操作（Ｓ８１１〜Ｓ８１９）の間に外部機器Ｘを起動することにより、実施例２で述べたタイムラグを小さくすることができる。また、ユーザーがカーソル操作をしている間に、外部機器Ｘが完全に起動されれば、ユーザーは、外部機器の再生操作を行った際に、待ち時間無く外部機器Ｘのコンテンツを視聴することができる。
【００９６】
なお、本実施例では外部機器Ｘが起動したか否かをＣＥＣコマンドを用いることにより確認（ステップＳ８２０，Ｓ８２１）したが、外部機器Ｘによる映像表示装置１００のＥＤＩＤ−ＲＯＭへのアクセスやＨＤＣＰ認証の開始などをトリガにしても良い。また、ＴＭＤＳラインを通じた映像信号の入力等により判断しても良い。
【００９７】
＜実施例４＞
上記実施例１〜３では、１つのＨＤＭＩ端子に１つの外部機器Ｘが接続されている場合
について説明したが、実際には、１つのＨＤＭＩ端子に複数の外部機器が接続されることがある。具体的には、図１１に示すように、ＡＶアンプ等のリピーターとして働く機器（リピーター機器９０２）を通じて、映像表示装置９０１の１つのＨＤＭＩ端子に対して、複数の外部機器が接続される場合がある。本実施例では、このような場合におけるコンテンツリスト映像データの取得方法などの一例について説明する。なお、映像表示装置９０１の構成、コンテンツリスト映像データの取得を行うタイミングは、実施例１で説明したものと同様のため、説明を省略する。取得されたコンテンツリスト映像データの利用方法は、実施例１〜３で説明したものを適用すればよいため、説明を省略する。また、本実施例では、図１１に示すように、映像表示装置９０１の１つのＨＤＭＩ端子に、リピーター機器９０２を介して２つの外部機器９０３，９０４が接続されている場合について説明する。
【００９８】
以下に、本実施例に係るコンテンツリスト映像データの取得方法について説明する。図１２は、本実施例に係る映像表示装置９０１における、コンテンツリスト映像データの取得の流れを示すフローチャートである。
【００９９】
まず、制御部１０８が、ＣＥＣコマンドを用いて、リピーター機器の接続先を一方の外部機器（例えば外部機器９０３）に切り替える（ステップＳ１００１）。そして、当該切り替えによって接続された外部機器（外部機器９０３）からコンテンツリスト映像データを取得する（ステップＳ１００２）。
【０１００】
そして、制御部１０８が、ＣＥＣコマンドを用いて、リピーター機器の接続先を他方の外部機器（例えば外部機器９０４）に切り替える（ステップＳ１００３）。そして、当該切り替えによって接続された外部機器（外部機器９０４）からコンテンツリスト映像データを取得する（ステップＳ１００４）。
【０１０１】
なお、ステップＳ１００２やステップＳ１００４では、図３や図６のフローチャートに示す処理（図３のステップＳ３０１〜Ｓ３０６の処理、または、図６のステップＳ５０１〜Ｓ５１９の処理）が行われる。また、リピーター機器に接続される外部機器の数はいくつでもよく、リピーター機器に接続されている外部機器の数だけ切り替え処理と取得処理（例えば、ステップＳ１００３〜Ｓ１００４の処理）を行ってもよい。
【０１０２】
次に、上記取得方法で取得されたコンテンツリスト映像データに基づく映像を表示する際の表示例について説明する。図１３は、本実施例に係る映像表示装置９０１においてコンテンツリスト映像データに基づく映像を表示する際の表示例を示す図である。
【０１０３】
上記取得方法で取得されたコンテンツリスト映像データに基づく映像は、例えば、リピーター機器に接続された複数の外部機器から取得されたコンテンツリスト映像データに基づく映像を合成した映像であってもよい。即ち、外部機器９０３から取得されたコンテンツリスト映像データに基づく映像と、外部機器９０４から取得されたコンテンツリスト映像データに基づく映像との両方を表示してもよい（図１３（Ａ）の画面１１０１）。また、その場合には、表示された映像から所望の外部機器を選択可能としてもよい。そして、ユーザーが図１３（Ａ）の画面１１０１の示す映像から所望の外部機器を選択した場合には、図１３（Ｂ）の画面１１０２に示すように選択された外部機器から取得されたコンテンツリスト映像データに基づく映像を表示すればよい。即ち、ユーザーが、図１３（Ａ）の画面１１０１の示す映像から外部機器９０３を選択した場合には、外部機器９０３から取得されたコンテンツリスト映像データに基づく映像を表示すればよい。図１３（Ｂ）の画面１１０２に示す映像が表示された後は、実施例１〜３の場合と同様に、ユーザーの操作に応じて、映像表示部１０４の映像が外部機器からの入力映像に切り替えられる。なお、複数の外部機器から取得されたコンテンツリスト映像データに基づく映像を表示しなく
てもよい。例えば、リピーター機器によって選択されている側の外部機器から取得されたコンテンツリスト映像データのみに基づく映像を表示してもよい。その場合にも、実施例１〜３の場合と同様に、ユーザーの操作に応じて、映像表示部１０４の映像が外部機器からの入力映像に切り替えられる。
【０１０４】
以上述べたように、本実施例では、１つの入力端子にリピーター機器を介して複数の外部機器が接続されている場合に、リピーター機器を制御することにより、それら複数の外部機器からコンテンツリスト映像データを取得する。それにより、ユーザーは、それぞれの外部機器の電源を入れなくても、それら複数の外部機器に保存されているコンテンツを容易に把握することができる。
【０１０５】
＜実施例５＞
上記実施例１〜４では、外部機器から映像データ（コンテンツリスト映像データ）を取得する場合について説明したが、外部機器から取得するのは、映像データでなくてもよい。例えば、映像表示装置１００は、外部機器から保存されている各コンテンツの情報を記述したコンテンツ情報データ（番組名や放送日時等が記述されたデータ）を取得してもよい。コンテンツ情報データは、ＨＤＭＩ−ＣＥＣ等において、機器同士で（映像表示装置と外部機器とで）独自の通信仕様を設定しておくことにより、ＣＥＣコマンドを用いて取得できる。
【０１０６】
外部機器からコンテンツ情報データを取得する場合には、映像表示装置１００が（例えば、制御部１０８が）、取得したコンテンツ情報データを用いて、コンテンツリスト映像データを作成する。
【０１０７】
そして、ユーザーが入力源をＨＤＭＩ入力に切り替えた際に、その入力源に接続されている外部機器が電源ＯＦＦ状態であった場合には、上記作成されたコンテンツリスト映像データに基づく映像を表示する。
【０１０８】
そして、ユーザーが表示されたコンテンツリストの映像からコンテンツを選択し、再生操作を行った場合には、制御部１０８が、ＣＥＣコマンドを用いて、外部機器を起動し、選択されたコンテンツを再生する。そして、制御部１０８が、映像表示部１０４の映像を外部機器からの入力映像に切り替える。それにより、映像表示部１０４には、ユーザーがコンテンツリストの映像（映像表示装置で作成された映像データに基づく映像）から選択したコンテンツが表示される。
【０１０９】
以上述べたように、本実施例では、映像表示装置１００は、外部機器からコンテンツ情報データを取得し、コンテンツリスト映像データを作成する。これにより、映像表示装置１００で表示する映像信号の入力源として選択されたＨＤＭＩ端子に接続されている外部機器が電源ＯＦＦ状態であっても、その入力端子に関連付けられたコンテンツリスト映像データに基づく映像を表示することができる。そのため、ユーザーは、外部機器の電源を入れなくても外部機器に保存されているコンテンツを容易に把握することができる。
【０１１０】
なお、映像表示装置１００で作製されたコンテンツリストの映像からコンテンツを選択可能とするために、実施例２のようにカーソルも含めた映像データを作成してもよいし、コンテンツリストの映像データとは別の映像データを用いてカーソルを表示してもよい。コンテンツリストとは別の映像としてカーソルを表示させることにより、実施例２のように複数のコンテンツリスト映像データを切り替えるような処理無しでコンテンツが選択可能となる。
【図面の簡単な説明】
【０１１１】
【図１】図１は、実施例１〜５に係る映像表示装置の構成を示すブロック図である。
【図２】図２は、コンテンツリスト映像データの取得を行うタイミングを表すフローチャートである。
【図３】図３は、実施例１に係る映像表示装置における、コンテンツリスト映像データの取得の流れを示すフローチャートである。
【図４】図４は、実施例１に係る映像表示装置においてコンテンツリスト映像データが利用される場合のフローチャートである。
【図５】図５（Ａ）〜（Ｆ）は、実施例２におけるコンテンツリストの表示例を示す図である。
【図６】図６は、実施例２に係る映像表示装置における、コンテンツリスト映像データの取得の流れを示すフローチャートである。
【図７】図７は、実施例２に係る映像表示装置においてコンテンツリスト映像データが利用される場合のフローチャートである。
【図８】図８は、実施例２に係る映像表示装置においてコンテンツリスト映像データが利用される場合のフローチャートである。
【図９】図９は、実施例３に係る映像表示装置においてコンテンツリスト映像データが利用される場合のフローチャートである。
【図１０】図１０は、実施例３に係る映像表示装置においてコンテンツリスト映像データが利用される場合のフローチャートである。
【図１１】図１１は、映像表示装置と外部機器との接続方法の一例を示す図である。
【図１２】図１２は、実施例４に係る映像表示装置における、コンテンツリスト映像データの取得の流れを示すフローチャートである。
【図１３】図１３（Ａ），（Ｂ）は、実施例４に係る映像表示装置においてコンテンツリスト映像データに基づく映像を表示する際の表示例を示す図である。
【図１４】図１４（Ａ），（Ｂ）は、従来技術の問題点と望まれている技術についての説明を示すための図である。
【符号の説明】
【０１１２】
１００，９０１  映像表示装置
１０１，１０２  ＨＤＭＩ送受信部
１０３  ＣＥＣ送受信部
１０４  映像表示部
１０５  ＴＭＤＳ切替部
１０６  映像切替部
１０７  記憶部
１０８  制御部
６０１〜６０６，１１０１，１１０２，１２０１，１２０２  画面
９０２  リピーター機器
９０３，９０４  外部機器
【図１】
2009253893.tif 000003
【図２】
2009253893.tif 000004
【図３】
2009253893.tif 000005
【図４】
2009253893.tif 000006
【図５】
2009253893.tif 000007
【図６】
2009253893.tif 000008
【図７】
2009253893.tif 000009
【図８】
2009253893.tif 000010
【図９】
2009253893.tif 000011
【図１０】
2009253893.tif 000012
【図１１】
2009253893.tif 000013
【図１２】
2009253893.tif 000014
【図１３】
2009253893.tif 000015
【図１４】
2009253893.tif 000016